(57)【要約】【課題】製作費を増大させることなくラックに実装されるユニットのメンテナンス性を向上させる。【解決手段】ラックに取付けられるシャーシ本体１と、該シャーシ本体に摺動可能に設けられたスライド部２と、該スライド部に固定可能であると共に前記シャーシ本体に固定可能な電子ユニット収納部とを具備する。【選択図】        図１
2004153106.tif 000002
【特許請求の範囲】
【請求項１】
ラックに取付けられるシャーシ本体と、該シャーシ本体に摺動可能に設けられたスライド部と、該スライド部に固定可能であると共に前記シャーシ本体に固定可能な電子ユニット収納部とを具備することを特徴とする電子機器のシャーシ構造。
【発明の詳細な説明】
【０００１】
【発明の属する技術分野】
本発明は、ラックに実装されるシャーシユニットの電子機器のシャーシ構造に関するものである。
【０００２】
【従来の技術】
通信機等の電子機器では、通信部、電源部等機能毎にユニット化され、ユニットがラックに実装される構成となっており、製作、検査、メンテナンス等ユニット毎に行われる様になっている。
【０００３】
ラックに実装されるユニットのシャーシとしては、前面パネル、背面パネルが開閉可能な構造となっており、メンテナンスをする場合は、前面パネル、背面パネルを開き、手が届く範囲でメンテナンスを行う様になっている。
【０００４】
又、ユニットのシャーシとして、シャーシをスライドレールを介してラックに取付け、メンテナンス時にはシャーシをラックから引出し、シャーシの上面及び下面からメンテナンスを行う様になっている。
【０００５】
【発明が解決しようとする課題】
然し乍ら、前者の従来例ではメンテナンスが可能な範囲がシャーシの前面、及び背面の限られた範囲となる為、作業範囲が制限され、又シャーシ内での部品の配置の制約を受ける。
【０００６】
又、後者の従来例では、シャーシの上面、下面に対してメンテナンスエリアを確保できるが、スライドレールが必要となる等構造が複雑となり、製作費が高くなる。又、スライドレールの取付け位置がラックとの関係で決定される為、ラッック、或はシャーシ単体での変更が難しくなる。更に、レールを介してシャーシとラックとの接地が行われる為、接地状態が不安定となる等の問題があった。
【０００７】
本発明は斯かる実情に鑑み、製作費を増大させることなく、ラックに実装されるユニットのメンテナンス性を向上させると共に確実な接地を可能とするものである。
【０００８】
【課題を解決するための手段】
本発明は、ラックに取付けられるシャーシ本体と、該シャーシ本体に摺動可能に設けられたスライド部と、該スライド部に固定可能であると共に前記シャーシ本体に固定可能な電子ユニット収納部とを具備する電子機器のシャーシ構造に係るものである。
【０００９】
【発明の実施の形態】
以下、図面を参照しつつ本発明の実施の形態を説明する。
【００１０】
図１〜図３に於いて、ラックは省略して図示してある。
【００１１】
本実施の形態に係る電子機器のシャーシ構造は主にシャーシ本体１、スライド部２、電子ユニット収納部３から構成される。
【００１２】
先ず、前記シャーシ本体１について説明する。
【００１３】
該シャーシ本体１の断面形状は逆凹字形状をしており、前端には左右に張出すフランジ５が設けられ、該フランジ５には固定孔６が穿設され、前記シャーシ本体１は前記固定孔６に挿通した螺子（図示せず）により図示しないラックに取付けられる様になっている。
【００１４】
前記スライド部２は、前記シャーシ本体１の前面を閉塞する前面パネル部７と、該前面パネル部７から後方に延出する底板部８及び該底板部８の後端部が直角に曲げ形成されたストッパ部９を有しており、前記前面パネル部７と底板部８とはクランク状に形成されたネック部１０を介して連続している。
【００１５】
前記シャーシ本体１の両内壁面にはガイド１１が設けられ、該ガイド１１には前記底板部８が摺動自在に嵌合している。又、前記シャーシ本体１の両内壁面、前記ガイド１１の上側には断面Ｌ字状のレール１２が固着され、該レール１２に前記電子ユニット収納部３が摺動自在に載置されている。
【００１６】
該電子ユニット収納部３は前記前面パネル部７に内部から当接し、該前面パネル部７に螺子１３により固定される様になっており、又前記電子ユニット収納部３の側壁後端部には凹部１４が形成され、該凹部１４の後端は固定片１５となっている。前記シャーシ本体１の後端部の前記電子ユニット収納部３の前記固定片１５に対向する部分が内側に折曲げられ内フランジ部１６が形成され、該内フランジ部１６は前記凹部１４内に収納される。
【００１７】
前記固定片１５と内フランジ部１６とは螺子１７により固定される様になっている。
【００１８】
図４、図５を参照して作動について説明する。
【００１９】
先ず、図１〜図３は本発明に係るシャーシユニットがラック（図示せず）に完全に実装された状態を示しており、前記シャーシ本体１は前記フランジ５を介してラック（図示せず）に固着され、前記電子ユニット収納部３は前記固定片１５と内フランジ部１６とが螺子１７により固定されることで、前記シャーシ本体１に固定され、更に前記電子ユニット収納部３が前記前面パネル部７に前記螺子１３で固着されることで前記スライド部２と電子ユニット収納部３とが一体化される。
【００２０】
而して、前記スライド部２、電子ユニット収納部３共に前記シャーシ本体１内に収納された状態となる。
【００２１】
前記電子ユニット収納部３の前部をメンテナンスする場合を説明する。
【００２２】
前記螺子１３を緩めることで、前記スライド部２が前記電子ユニット収納部３から切離され、前記スライド部２のみを前記ガイド１１に沿って引出すことができ、前記電子ユニット収納部３の前方にメンテナンス用の空間が確保できる。前記スライド部２を引出した状態では、前記電子ユニット収納部３は前記レール１２に支持された状態となり、前記電子ユニット収納部３の前部が落下することはない。尚、前記スライド部２の引出し量は前記ストッパ部９が前記ガイド１１に当接した状態であり、前記ストッパ部９が前記ガイド１１に当接することで抜止めがなされる。又、前記ストッパ部９は前記レール１２と干渉しない形状となっている。
【００２３】
次に、前記電子ユニット収納部３の後部をメンテナンスする場合は、図１〜図３の状態から前記螺子１７を緩める。前記電子ユニット収納部３と前記シャーシ本体１とが切離され、前記電子ユニット収納部３は前記スライド部２と共に後方に引出すことができる。この状態で前記電子ユニット収納部３は前記レール１２に支持されているので、前記電子ユニット収納部３の後端部が落下することはなく、又該電子ユニット収納部３は前記レール１２上を摺動しながら引出される。尚、前記電子ユニット収納部３の後方へ引出し量は前記内フランジ部１６が前記凹部１４で動き得る距離であり、又前記内フランジ部１６の動きが前記凹部１４で制限されることで、前記電子ユニット収納部３の後方への引出しのストッパとなる。又、前記レール１２の長さは、前記前面パネル部７が前記レール１２と干渉しない程度となっている。
【００２４】
而して、前記電子ユニット収納部３に対し、前方からも後方からもメンテナンスが可能となる。
【００２５】
又、シャーシユニットがラック（図示せず）に完全に実装された状態では螺子による固定であるので、充分な接地が可能である。
【００２６】
尚、前記前面パネル部７と電子ユニット収納部３前面との固定で、該電子ユニット収納部３後部の落下が防止でき、又前記内フランジ部１６と固定片１５との固定で前記電子ユニット収納部３前部の落下が防止できる場合は、前記レール１２は省略できる。
【００２７】
【発明の効果】
以上述べた如く本発明によれば、ラックに取付けられるシャーシ本体と、該シャーシ本体に摺動可能に設けられたスライド部と、該スライド部に固定可能であると共に前記シャーシ本体に固定可能な電子ユニット収納部とを具備するので、スライド部と電子ユニット収納部とを切離してスライド部を引出すことで、メンテナンス空間が確保でき、前記電子ユニット収納部とシャーシ本体とを切離し、前記電子ユニット収納部を前記スライド部とは反対の方向に引出すことで、前記電子ユニット収納部に対するメンテナンス空間を確保することができ、簡単な構造でメンテナンス空間を拡大することができるという優れた効果を発揮する。
【図面の簡単な説明】
【図１】本発明の実施の形態を示す平面図である。
【図２】同前正面図である。
【図３】同前側面図である。
【図４】本発明の実施の形態の作動説明図である。
【図５】本発明の実施の形態の作動説明図である。
【符号の説明】
１          シャーシ本体
２          スライド部
３          電子ユニット収納部
７          前面パネル部
１１        ガイド
１２        レール
１４        凹部
【図１】
2004153106.tif 000003
【図２】
2004153106.tif 000004
【図３】
2004153106.tif 000005
【図４】
2004153106.tif 000006
【図５】
2004153106.tif 000007